(57)【要約】【課題】ヒートポンプ給湯機の水−冷媒熱交換器からの外気への放熱量低減と、交換時等のメンテナンス性の向上を図ることを目的とする。【解決手段】圧縮機、水−冷媒熱交換器、減圧弁、空気−冷媒熱交換器などを環状に接続した冷媒回路に冷媒を充填して構成された冷凍サイクルを有し、かつ、貯湯タンク、混合弁、電磁弁、循環ポンプなどを接続して構成されたタンク回路を具備した給湯機であって、前記空気−冷媒熱交換器や圧縮機を配設する基板の上で、かつ前記貯湯タンクと空気−冷媒熱交換器との間にケースを設けて前記水−冷媒熱交換器を収納し、前記ケースの前面に蓋を設け、前記蓋をフックとネジで固定することを特徴とするヒートポンプ給湯機。【選択図】図５
2005164136.tif 000002
【特許請求の範囲】
【請求項１】
圧縮機、水−冷媒熱交換器、減圧弁、空気−冷媒熱交換器などを環状に接続した冷媒回路に冷媒を充填して構成された冷凍サイクルを有し、かつ、貯湯タンク、混合弁、電磁弁、循環ポンプなどを接続して構成されたタンク回路を具備した給湯機であって、前記空気−冷媒熱交換器や圧縮機を配設する基板の上で、かつ前記貯湯タンクと前記空気−冷媒熱交換器との間にケースを設けて前記水−冷媒熱交換器を収納することを特徴とするヒートポンプ式給湯機。
【請求項２】
前記ケースの前面に開閉部を設けたことを特徴とする請求項１記載のヒートポンプ式給湯機。
【請求項３】
前記開閉部をネジで固定することを特徴とする請求項２記載のヒートポンプ式給湯機。
【請求項４】
前記開閉部をフックとネジで固定されることを特徴とする請求項２記載のヒートポンプ式給湯機。
【請求項５】
前記ケースの上に送風機の取付け板を設置することを特徴とする請求項１記載のヒートポンプ式給湯機。
【請求項６】
前記ケースの上に電装品を設けることを特徴とする請求項１記載のヒートポンプ式給湯機。
【発明の詳細な説明】
【技術分野】
【０００１】
本発明は、冷凍サイクルとタンク回路を備えたヒートポンプ式給湯機に関する。
【背景技術】
【０００２】
従来、冷凍サイクルとタンク回路を備えた「瞬間式ヒートポンプ給湯機」が商品化されている。例えば、瞬間ヒートポンプ式給湯機（日立製：ＲＨＫ−２３ＢＡＶ）がある。
【０００３】
図８は従来例の瞬間ヒートポンプ式給湯機の構成図を示している。
【０００４】
従来例の瞬間ヒートポンプ式給湯機は、圧縮機１、水−冷媒熱交換器２、減圧弁３、空気−冷媒熱交換器４、送風機５が環状に接続された冷媒回路に冷媒を充填して第１冷凍サイクルを構成し、同様にして圧縮機２１、水−冷媒熱交換器２２、減圧弁２３、空気−冷媒熱交換器２４、送風機２５が環状に接続された冷媒回路に冷媒を充填して第２冷凍サイクルを構成している。また、貯湯タンク６、混合弁７、電磁弁８、給湯用循環ポンプ９、風呂追炊き用循環ポンプ１０などを配管で接続してタンク回路を構成し、第１ないし第２冷凍サイクルと前記タンク回路を１つのユニットに収納している。一体型にすることでユニットの部品点数や重量を削減して低コスト化を図っている。また、収納性を優先して水−冷媒熱交換器は貯湯タンクの周りに巻き付けられている。（例えば、非特許文献１参照）
このように従来の瞬間式ヒートポンプ給湯機では、冷凍サイクルやタンク回路を全て一つのユニット内に収納した一体型で構成され、小型化を優先して水−冷媒熱交換器は貯湯タンクの周りに巻き付けられているため、水−冷媒熱交換器の収納性は良く小型化には繋がっているが、水−冷媒熱交換器だけを交換しにくいなど、メンテナンス性に問題があった。
【非特許文献１】週刊エアコン流通人２００３年５月１５日号（ＶＯＬ．２４−Ｎｏ．８９６）
【発明の開示】
【発明が解決しようとする課題】
【０００５】
しかしながら、上記従来の構成では次のような課題がある。
【０００６】
即ち、従来例の瞬間ヒートポンプ式給湯機は冷凍サイクルやタンク回路を全て一つのユニット内に収納した一体型で構成され、小型化を優先して水−冷媒熱交換器は貯湯タンクの周りに巻き付けられているため、水−冷媒熱交換器の収納性は良く小型化には繋がっているが、水−冷媒熱交換器だけを交換しにくいなど、メンテナンス性に問題があった。
【０００７】
本発明は、このような従来の課題を解決すものであり、小型化を維持しつつ、水−冷媒熱交換器から外気への放熱量低減、水−冷媒熱交換器のメンテナンス性の向上を図ることを目的とする。
【課題を解決するための手段】
【０００８】
上記課題を解決するために請求項１記載の本発明のヒートポンプ式給湯機は、圧縮機、水−冷媒熱交換器、減圧弁、空気−冷媒熱交換器などを環状に接続した冷媒回路に冷媒を充填して構成された冷凍サイクルを有し、かつ、貯湯タンク、混合弁、電磁弁、循環ポンプなどを接続して構成されたタンク回路を具備した給湯機であって、前記空気−冷媒熱交換器や圧縮機を配設する基板の上で、かつ前記貯湯タンクと前記空気−冷媒熱交換器との間にケースを設けて前記水−冷媒熱交換器を収納することを特徴とする。
【０００９】
請求項２記載の本発明は、前記ケースの前面に開閉部を設けたことを特徴とする。
【００１０】
請求項３記載の本発明は、前記開閉部をネジで固定することを特徴とする。
【００１１】
請求項４記載の本発明は、前記開閉部をフックとネジで固定することを特徴とする。
【００１２】
請求項５記載の本発明は、前記ケースの上に送風機の取付け板を設置することを特徴とする。
【００１３】
請求項６記載の本発明は、前記ケースの上に電装品を設けることを特徴とする。
【発明の効果】
【００１４】
上記から明らかなように、本発明は、給湯機の空気−冷媒熱交換器や圧縮機を配設する基板の上で、かつ前記貯湯タンクと前記空気−冷媒熱交換器との間にケースを設けて前記水−冷媒熱交換器を収納するものであり、この構成によれば、ケースを設けて水−冷媒熱交換器を収納することによって送風機による風をさえぎることができ、空気への放熱量低減を図ると共に、水−冷媒熱交換器の交換などのメンテナンス性の向上を図ることができるという効果を奏する。
【００１５】
また、本発明は、給湯機の空気−冷媒熱交換器や圧縮機を配設する基板の上で、かつ前記貯湯タンクと前記空気−冷媒熱交換器との間にケースを設けて前記水−冷媒熱交換器を収納し、さらに前記ケースの前面に蓋を設けたものであり、この構成によれば、ケースを設けて水−冷媒熱交換器を収納し、さらにパネルで蓋をして水−冷媒熱交換器の全周を囲うことによって、空気への放熱量低減をさらに図ることができるという効果を奏する。
【００１６】
また、本発明は、給湯機の空気−冷媒熱交換器や圧縮機を配設する基板の上で、かつ前記貯湯タンクと前記空気−冷媒熱交換器との間にケースを設けて前記水−冷媒熱交換器を収納し、前記ケースの前面に蓋を設け、さらに前記蓋をネジで固定するものであり、この構成によれば、ケースを設けて水−冷媒熱交換器を収納し、前記ケースに蓋を設け、さらに前記蓋をネジで固定することによって、放熱量低減を図ると共に、水−冷媒熱交換器の交換などのメンテナンス性のさらなる向上を図ることができるという効果を奏する。
【００１７】
また、本発明は、給湯機の空気−冷媒熱交換器や圧縮機を配設する基板の上で、かつ前記貯湯タンクと前記空気−冷媒熱交換器との間にケースを設けて前記水−冷媒熱交換器を収納し、前記ケースの前面に蓋を設け、さらに前記蓋はフックとネジで固定するものであり、この構成によれば、水−冷媒熱交換器を収納するケースを設け、前記ケースの前面に蓋を設け、前記蓋は少なくても一個所にフックを設け、ネジで固定することによって、部品点数削減によるコスト低減や組み立て作業性の向上、メンテナンス性の向上を図ることができるという効果を奏する。
【００１８】
また、本発明は、給湯機の空気−冷媒熱交換器や圧縮機を配設する基板の上で、かつ前記貯湯タンクと前記空気−冷媒熱交換器との間にケースを設けて前記水−冷媒熱交換器を収納し、さらに前記ケースの上に送風機の取付け板を設置するものであり、この構成によれば、水−冷媒熱交換器を収納するケースを設け、前記ケースの上に送風機の取付け板を設置することによって、基板に取り付けた場合と比較して送風機の取付け板を短くできて安くできると共に水−冷媒熱交換器の収納スペースを確保でき、水−冷媒熱交換器の収納性向上とメンテナンス性向上を図ることができるという効果を奏する。
【００１９】
また、本発明は、給湯機の空気−冷媒熱交換器や圧縮機を配設する基板の上で、かつ前
記貯湯タンクと前記空気−冷媒熱交換器との間にケースを設けて前記水−冷媒熱交換器を収納し、さらに前記ケースの上に電装品を設けるものであり、この構成によれば、水−冷媒熱交換器を収納するケースを設け、前記ケースの上に電装品を設置することによって、基板に取り付けた場合と比較して水がかかり難く安全性の向上を図ることができるとともに、天面につけるのと比べてメンテナンス性の向上を図ることができるという効果を奏する。
【発明を実施するための最良の形態】
【００２０】
本発明の第1の実施形態によるヒートポンプ式給湯機は、給湯機の空気−冷媒熱交換器や圧縮機を配設する基板の上で、かつ前記貯湯タンクと前記空気−冷媒熱交換器との間にケースを設けて前記水−冷媒熱交換器を収納するものである。
【００２１】
本実施の形態によれば、ケースを設けて水−冷媒熱交換器を収納することによって送風機による風をさえぎることができ、空気への放熱量低減を図ると共に、水−冷媒熱交換器の交換などのメンテナンス性の向上を図ることができる。また、収納性も良く、本体の小型化にも有効である。
【００２２】
本発明の第２の実施形態は、給湯機の空気−冷媒熱交換器や圧縮機を配設する基板の上で、かつ前記貯湯タンクと前記空気−冷媒熱交換器との間にケースを設けて前記水−冷媒熱交換器を収納し、さらに前記ケースの前面に開閉部を設けたものである。
【００２３】
本実施の形態によれば、ケースを設けて水−冷媒熱交換器を収納し、さらにケースの前面に開閉部をして水−冷媒熱交換器の全周を囲うことによって、空気への放熱量低減をさらに図ることができる。
【００２４】
本発明の第３の実施形態は、給湯機の空気−冷媒熱交換器や圧縮機を配設する基板の上で、かつ前記貯湯タンクと前記空気−冷媒熱交換器との間にケースを設けて前記水−冷媒熱交換器を収納し、前記ケースの前面に開閉部を設け、さらに前記開閉部をネジで固定するものである。
【００２５】
本実施の形態によれば、ケースを設けて水−冷媒熱交換器を収納し、前記ケースに開閉部を設け、さらに前記開閉部をネジで固定することによって、放熱量低減を図ると共に、水−冷媒熱交換器の交換などのメンテナンス性のさらなる向上を図ることができる。
【００２６】
本発明の第４の実施形態は、給湯機の空気−冷媒熱交換器や圧縮機を配設する基板の上で、かつ前記貯湯タンクと前記空気−冷媒熱交換器との間にケースを設けて前記水−冷媒熱交換器を収納し、前記ケースの前面に開閉部を設け、さらに前記開閉部はフックとネジで固定するものである。
【００２７】
本実施の形態によれば、ケースを設けて水−冷媒熱交換器を収納し、前記ケースの前面に開閉部を設け、さらに前記開閉部は少なくても一個所にフックを設けてネジで固定することによって、部品点数削減によるコスト低減や組み立て作業性の向上、メンテナンス性の向上を図ることができる。
【００２８】
本発明の第５の実施形態は、給湯機の空気−冷媒熱交換器や圧縮機を配設する基板の上で、かつ前記貯湯タンクと前記空気−冷媒熱交換器との間にケースを設けて前記水−冷媒熱交換器を収納し、さらに前記ケースの上に送風機の取付け板を設置するものである。
【００２９】
本実施の形態によれば、ケースを設けて水−冷媒熱交換器を収納し、前記ケースの上に送風機の取付け板を設置することによって、基板に取り付けた場合と比較して送風機の取
付け板を短くできて安くできると共に水−冷媒熱交換器の収納スペースを確保でき、本体の小型化や水−冷媒熱交換器の収納性向上とメンテナンス性向上を図ることができる。
【００３０】
本発明の第６の実施形態は、給湯機の空気−冷媒熱交換器や圧縮機を配設する基板の上で、かつ前記貯湯タンクと前記空気−冷媒熱交換器との間にケースを設けて前記水−冷媒熱交換器を収納し、さらに前記ケースの上に電装品を設けるものである。
【００３１】
本実施の形態によれば、水−冷媒熱交換器を収納するケースを設け、前記ケースの上に電装品を設置することによって、基板に取り付けた場合と比較して水がかかり難く、天面につけるのと比べてメンテナンス性の向上を図ることができる。
【実施例】
【００３２】
以下、本発明の実施例について図面を参照して説明する。
【００３３】
（実施例１）
図１は、本実施例によるヒートポンプ式給湯機の回路図を示したものであり、図２は前記給湯機の構造図である。
【００３４】
図１ないし図２において、圧縮機１、水−冷媒熱交換器２、減圧弁３、空気−冷媒熱交換器４、（送風機５）が環状に接続された冷媒回路に冷媒を充填して冷凍サイクルを構成している。また、貯湯タンク６、混合弁７、電磁弁８、給湯用循環ポンプ９、風呂追炊き用循環ポンプ１０などを配管で接続してタンク回路を構成し、前記冷凍サイクルと前記タンク回路を１つのユニットに収納している。さらに、前記空気−冷媒熱交換器４や圧縮機１を配設する基板１１の上で、かつ前記貯湯タンク６と前記空気−冷媒熱交換器４との間にケース１２を設けて前記水−冷媒熱交換器２を収納するものである。
【００３５】
上記本実施例によれば、ケース１２を設けて水−冷媒熱交換器２を収納することによって送風機５による風をさえぎることができ、空気への放熱量低減を図ると共に、水−冷媒熱交換器２の交換などのメンテナンス性の向上を図ることができる。
【００３６】
（実施例２）
図３は、本第２の実施例によるヒートポンプ式給湯機の構造図を示したものである。
【００３７】
図３において、実施例１と同様に冷凍サイクルとタンク回路から構成され、１つのユニットに収納され、前記貯湯タンク６と前記空気−冷媒熱交換器４との間にケース１２を設けて前記水−冷媒熱交換器２を収納し、さらに前記ケース１２の前面に開閉部である蓋１３が設けられている。
【００３８】
上記本実施例によれば、ケース１２を設けて水−冷媒熱交換器２を収納し、さらに前面に蓋１３をして水−冷媒熱交換器２の全周を囲うことによって、蓋１３がない場合に比べて空気への放熱量低減をさらに図ることができる。
【００３９】
（実施例３）
図４は、本第３の実施例によるヒートポンプ式給湯機の構造図を示したものである。
【００４０】
図４において、実施例１と同様に冷凍サイクルとタンク回路から構成され、１つのユニットに収納され、前記貯湯タンク６と前記空気−冷媒熱交換器４との間にケース１２を設けて前記水−冷媒熱交換器２を収納し、前記ケース１２の前面に蓋１３が設けられ、さらにネジ１４で固定されている。
【００４１】
本実施例によれば、ケース１２を設けて水−冷媒熱交換器２を収納し、前記ケース１２の前面に蓋１３を設け、さらに前記蓋１３をネジ１４で固定することによって、放熱量低減を図ると共に、水−冷媒熱交換器の交換などのメンテナンス性の向上をさらに図ることができる。
【００４２】
（実施例４）
図５は、本第４の実施例によるヒートポンプ式給湯機構造図を示したものである。
【００４３】
第５図において、実施例１と同様に冷凍サイクルとタンク回路から構成され、１つのユニットに収納され、前記貯湯タンク６と前記空気−冷媒熱交換器４との間にケース１２を設けて前記水−冷媒熱交換器２を収納し、前記ケース１２の前面に蓋１３が設けられ、さらに前記蓋１３は上部のフック１５に引掛けられ、下部にネジ１４で固定されている。
【００４４】
本実施例によれば、ケース１２を設けて水−冷媒熱交換器２を収納し、前記ケース１２の前面に蓋１３設け、さらに前記蓋１３をフック１５とネジ１４で固定することによって、部品点数削減によるコスト低減や組み立て作業性の向上、メンテナンス性の向上を図ることができる。
【００４５】
（実施例５）
図６は本第５の実施例によるヒートポンプ式給湯機の構造図を示したものである。
【００４６】
第６図において、実施例１と同様に冷凍サイクルとタンク回路から構成され、１つのユニットに収納され、前記貯湯タンク６と前記空気−冷媒熱交換器４との間にケース１２を設けて前記水−冷媒熱交換器２を収納し、さらに前記ケース１２の上に送風機５の取付け板１６を設置している。
【００４７】
本実施例によれば、ケース１２を設けて水−冷媒熱交換器２を収納し、前記ケース１２の上に送風機５の取付け板１６を設置することによって、基板１１に取り付けた場合と比較して送風機５の取付け板１６を短くできて安価にできると共に、水−冷媒熱交換器２の収納スペースを大きく確保でき、水−冷媒熱交換器２の収納性向上とメンテナンス性向上を図ることができる。
【００４８】
（実施例６）
図７は本第６の実施例によるヒートポンプ式給湯機の構造図を示したものである。
【００４９】
図７において、実施例１と同様に実施例１と同様に冷凍サイクルとタンク回路から構成され、１つのユニットに収納され、前記貯湯タンク６と前記空気−冷媒熱交換器４との間にケース１２を設けて前記水−冷媒熱交換器２を収納し、さらに前記ケース１２の上に電装品１７を設けている。
【００５０】
本実施例によれば、水−冷媒熱交換器を収納するケースを設け、前記ケースの上に電装品を設置することによって、基板に取り付けた場合と比較して水がかかり難く、安全性の向上を図れると共に、天面につけるのと比べてメンテナンス性の向上を図ることができる。
【図面の簡単な説明】
【００５１】
【図１】本発明の第1の実施例を示すヒートポンプ給湯機の回路図
【図２】同一実施形態の構造図
【図３】本発明の第２の実施例を示すヒートポンプ給湯機の構造図
【図４】本発明の第３の実施例を示すヒートポンプ給湯機の構造図
【図５】本発明の第４の実施例を示すヒートポンプ給湯機の構造図
【図６】本発明の第５の実施例を示すヒートポンプ給湯機の構造図
【図７】本発明の第６の実施例を示すヒートポンプ給湯機の構造図
【図８】従来のヒートポンプ給湯機の回路図
【符号の説明】
【００５２】
１  圧縮機
２  水−冷媒熱交換器
３  減圧弁
４  空気−冷媒熱交換器
５  送風機
６  貯湯タンク
７  混合弁
８  電磁弁
９  給湯用循環ポンプ
１０  風呂追炊き用循環ポンプ
【図１】
2005164136.tif 000003
【図２】
2005164136.tif 000004
【図３】
2005164136.tif 000005
【図４】
2005164136.tif 000006
【図５】
2005164136.tif 000007
【図６】
2005164136.tif 000008
【図７】
2005164136.tif 000009
【図８】
2005164136.tif 000010